(57)【要約】【課題】モジュール式壁と共に使用される装置収納モジュールを提供する。【解決手段】モジュール式壁（２０）は垂直方向と横方向に互いに隔てられ所定の高さ（１３２）と所定の幅（１３０）を有する複数の壁空間から成るグリッドを形成するよう構成された複数の枠ユニット（１００）を備える。装置収納モジュール（２４）は該壁空間の１つに配置され該モジュール式壁（２０）の一部を形成するよう構成されている。装置収納モジュール（２４）は、第１のコネクタ（９８）を有する患者医療装置（４４）を収納する空洞（６２）を有する囲い（５０）を備える。該囲いは、該患者医療装置（４４）が該空洞（６２）に収納された時、該第１のコネクタ（９８）に結合されるよう構成された第２のコネクタ（６６）を有する。
2008501418.tif 000002
【特許請求の範囲】
【請求項１】
第１のコネクタを有する患者医療装置と共に使用される装置収納モジュールであって、
患者医療装置を収納する空洞を有する囲いを備え、
該囲いは、該患者医療装置が該空洞に収納された時、該第１のコネクタに結合されるよう構成された第２のコネクタを有し、医療施設の壁の一部を形成する装置収納モジュール。
【請求項２】
前記第１のコネクタは、前記患者医療装置に搭載された再充電可能なバッテリに結合され、前記第２のコネクタは電気コンセントにより構成される請求項１に記載の装置収納モジュール。
【請求項３】
前記第１のコネクタは第１のデータポートにより構成され、前記第２のコネクタは第２のデータポートにより構成される請求項１に記載の装置収納モジュール。
【請求項４】
前記第２のデータポートは前記医療施設のコンピュータネットワークに結合される請求項３に記載の装置収納モジュール。
【請求項５】
前記囲いの壁は複数の電気コンセントを有する請求項１に記載の装置収納モジュール。
【請求項６】
前記囲いの壁は複数のデータポートを有する請求項１に記載の装置収納モジュール。
【請求項７】
前記囲いの壁はアクセサリ装着レールを有する請求項１に記載の装置収納モジュール。
【請求項８】
前記空洞は前記囲いを支える床へ開いている請求項１に記載の装置収納モジュール。
【請求項９】
前記空洞は前記囲いの前方へ開いている請求項１に記載の装置収納モジュール。
【請求項１０】
前記囲いは、前記空洞へのアクセスを可能にする第１の位置と該空洞へのアクセスを妨げる第２の位置の間を移動可能なドアを有する請求項１に記載の装置収納モジュール。
【請求項１１】
前記ドアは、不透明部、透明部、及び液晶表示パネルのうち１つ以上を備える請求項１０に記載の装置収納モジュール。
【請求項１２】
スルー型モジュールである請求項１に記載の装置収納モジュール。
【請求項１３】
該装置収納モジュールは第１空間に面する前面と、第２空間に面する後面とを有し、前記空洞は該第１空間と第２空間の両方からアクセス可能である請求項１２に記載の装置収納モジュール。
【請求項１４】
前記第１空間は病室であり、前記第２空間は隣接する廊下である請求項１３に記載の装置収納モジュール。
【請求項１５】
前記囲いの壁の１つに結合された灯りを更に備える請求項１に記載の装置収納モジュール。
【請求項１６】
前記囲いの底壁は、該囲いを支える床から離れている請求項１に記載の装置収納モジュール。
【請求項１７】
該装置収納モジュールは医療施設のモジュール式壁の一部を形成し、該モジュール式壁は、垂直方向と横方向に互いに隔てられ所定の高さと所定の幅を有する複数の壁空間から成るグリッドを形成するよう構成された複数の枠ユニットを備え、前記壁空間の１つに配置される請求項１に記載の装置収納モジュール。
【請求項１８】
垂直方向と横方向に互いに隔てられ所定の高さと所定の幅を有する複数の壁空間から成るグリッドを形成するよう構成された複数の枠ユニットを備えたモジュール式壁と共に使用される装置収納モジュールであって、
患者医療装置を収納する空洞を有する囲いを備え、
該患者医療装置は第１のコネクタを有し、該囲いは、該患者医療装置が該空洞に収納された時、該第１のコネクタに結合されるよう構成された第２のコネクタを有し、該壁空間の１つに配置され該モジュール式壁の一部を形成する装置収納モジュール。
【請求項１９】
医療施設のモジュール式壁であって、
垂直方向と横方向に互いに隔てられ所定の高さと所定の幅を有する複数の壁空間から成るグリッドを形成するよう構成された複数の枠ユニットと、
該壁空間の１つに配置され該モジュール式壁の一部を形成する装置収納モジュールとを備え、
該装置収納モジュールは患者医療装置を収納する空洞を有する囲いを備え、該患者医療装置は第１のコネクタを有し、該囲いは、該患者医療装置が該空洞に収納された時、該第１のコネクタに結合されるよう構成された第２のコネクタを有するモジュール式壁。
【請求項２０】
前記各枠ユニットは、所定の高さと所定の幅だけ互いに隔てられグリッドを形成する複数の接続点を有し、前記装置収納モジュールは該接続点のうち少なくとも１つに結合される請求項１９に記載のモジュール式壁。
【請求項２１】
前記装置収納モジュールは、前記所定の幅の１倍を含む倍数にほぼ等しい幅と、前記所定の高さの１倍を含む倍数にほぼ等しい高さとを有する請求項２０に記載のモジュール式壁。
【発明の詳細な説明】
【技術分野】
【０００１】
本発明は、臨床環境において壁を構成するためのモジュールシステム、特にモジュール式壁システムにおいて使用される装置収納モジュールに関する。
【背景技術】
【０００２】
病院又は医療施設内の空間は、常に貴重である。病院の廊下と地下室は使用されていない患者医療装置で、しばしば雑然となっている。雑然とした環境を作ることなく、必要とされる場所に患者医療装置を収容するのが望ましい。また、患者医療装置が収容されている間に、搭載されたバッテリを充電することが望ましい。本明細書中では用語「病院」及び「医療施設」は、介護施設、外来患者診療所、診療施設等を含む広義の意味で使用され、それぞれ両方の意味をカバーする。
【０００３】
《関連する出願への相互参照》
本出願は、２００４年０６月０３日付で出願した米国仮特許出願第６０／５７６，８６８号と、２００５年０１月２０日付で出願した米国仮特許出願第６０／６４５，４１１号との利益を主張する同一の譲渡人に譲渡する通常の特許出願である。これら両方の出願を本明細書に援用する。
【発明の開示】
【課題を解決するための手段】
【０００４】
本発明は、単独でまたは組合せで特許性のある事項を構成する下記の複数の特徴のうち１つ以上又はそれらの組合せを有する装置を含む。
【０００５】
第１のコネクタを有する患者医療装置と共に使用される装置収納モジュールを提供する。該装置収納モジュールは患者医療装置を収納する装置収納空洞を有する囲いを備える。
【０００６】
該囲いは、該患者医療装置が該空洞に収納された時、該第１のコネクタに結合されるよう構成された第２のコネクタを有する。該装置収納モジュールは病院のモジュール式壁の一部を形成する。
【０００７】
前記第１のコネクタは、前記患者医療装置に搭載された再充電可能なバッテリに結合され、前記第２のコネクタは電気コンセントにより構成される。該電気コンセントは電力を供給し、患者医療装置が該空洞に収納されている間に、患者医療装置のバッテリを充電してもよい。
【０００８】
前記第１のコネクタは第１のデータポートにより構成され、前記第２のコネクタは第２のデータポートにより構成されてもよい。患者医療装置が該空洞に収納されている間に、データをデータポートを介して患者医療装置へアップロード又は患者医療装置からダウンロードしてもよい。前記第２のコネクタは病院のコンピュータネットワークに結合される。
【０００９】
前記囲いの壁は複数の電気コンセント及び／又はデータポートを有してもよい。該電気コンセント及びデータポートの少なくとも幾つかは、該囲いを支える床にほぼ平行または垂直に延びるトラックに沿って配列されてもよい。前記囲いの壁の１つは複数のアクセサリ装着レールを有してもよい。アクセサリ装着レールの少なくとも幾つかは、床にほぼ平行または垂直に配置されてもよい。
【００１０】
患者医療装置が下部の車輪により前記装置収納空洞に出入りできるように該装置収納空洞は床へ開いていてもよい。幾つかの実施形態では、前記装置収納空洞は前記囲いの前方へ開いていてもよい。他の実施形態では、前記装置収納空洞は該囲いの前側と後側の両方へ開いていてもよい。これにより病室と隣接する廊下の両方から患者医療装置にアクセスできる。前記囲いは、前記空洞へのアクセスを可能にする第１の位置と該空洞へのアクセスを妨げる第２の位置の間を移動可能なドアを有してもよい。前記ドアは、不透明でも透明でもよく、液晶表示（ＬＣＤ）パネルを有してもよい。
【００１１】
該装置収納モジュールは前記囲いの壁の１つに結合された灯りを更に備えてもよい。該灯りは囲いの上部壁に結合されてもよい。患者医療装置は前記囲いの底壁上に支持されてもよい。該底壁は床から離れていてもよい。
【００１２】
該モジュール式壁は、垂直方向と横方向に互いに隔てられ所定の高さと所定の幅を有する複数の壁空間から成るグリッドを形成するよう構成された複数の枠ユニットを備えてもよい。装置収納モジュールは前記壁空間の１つに配置される。前記装置収納モジュールは、前記所定の幅の１倍を含む倍数にほぼ等しい幅と、前記所定の高さの１倍を含む倍数にほぼ等しい高さとを有してよい。前記各枠ユニットは、所定の高さと所定の幅だけ互いに隔てられグリッドを形成する複数の接続点を有し、前記装置収納モジュールは該接続点のうち少なくとも１つに結合されてもよい。
【００１３】
上記以外の特徴が、単独でまたは上記の特徴と組合せで特許性のある事項を構成する可能性があり、発明を実施するための現時点での最良の形態である以下の実施形態の詳細な説明から、当業者に明らかとなるであろう。
【発明を実施するための最良の形態】
【００１４】
図１に示すように、モジュール式壁２０は、スルー型装置収納モジュール２４と、ドアなし凹型装置収納モジュール２６と、ドア３０を有する凹型装置収納モジュール２８と、一対の開放棚装置収納モジュール３２とを含む複数のモジュール２２を備える。また、モジュール式壁２２は、キャビネットモジュール３４と複数の引出しモジュール３６とを備える。モジュール式壁２０は、病院の２つの空間の間、例えば、本実施形態では病室３８と廊下４０の間に配置される。本実施形態において、モジュール式壁２０は図８に示したタイプであり、国際特許出願Ｎｏ．PCT／US２００５／０１９０１２（attorney docket no. 7175-78000）に開示されている。キャビネットモジュール３４と引出しモジュール３６は国際特許出願Ｎｏ．PCT／US２００５／０１９０８５（attorney docket no. 7175-78001）に開示されたタイプである。上記２つの特許出願は本出願と同一の譲渡人に譲渡する特許出願であり、これらの特許出願を本明細書に援用する。
【００１５】
図２に示すように、スルー型装置収納モジュール２４は、一対の隔てられた側壁５２、５４と、側壁５２、５４間を延びる上部壁５６と、病室３８に面する前面５８と、廊下４０に面する後面６０と、前面５８と後面６０とにおいてそれぞれ病室３８と廊下４０とに開いたスルー型装置収納空洞６２とを有する箱形囲い５０を備える。図７に示す可動医療カート４４等の患者医療装置４２は、不使用時、スルー型空洞６２に収容される。装置収納空洞６２に収容される可能性のある患者医療装置４２の他の例は、輸液ポンプ、人工呼吸器、心拍モニター、パルス酸素濃度計等である。このような患者医療装置４２は箱形囲い５０の棚（不図示）の上に収容してもよい。
【００１６】
幾つかの患者医療装置４２は、充電可能なバッテリを搭載し、使用時及び／又は輸送中に患者医療装置４２に中断することなく電力を供給する。幾つかの患者医療装置４２は、病院内のネットワーク上の他のコンピュータと通信するためのデータポートを有するコンピュータを備える。患者医療装置４２を廊下４０からスルー型空洞６２に移動し、病室３８からアクセスすることが可能であり、この逆も可能である。また、スルー型空洞６２は床４６にも開いているので、患者医療装置４２は下部の車輪により又は滑ることでスルー型空洞６２に容易に出入りできる。
【００１７】
側壁５２、５４のいずれか又は両方は、複数のコネクタ６４、例えば電気コンセント６６、データポート６８等を有する。本実施形態では、電気コンセント６６群とデータポート６８群はそれぞれ床４６にほぼ平行に延びるトラック又は帯７０、７２に沿って配列されている。別の実施形態では、幾つかのトラック７０、７２は床４６にほぼ平行に配置され、別の幾つかのトラック７０、７２は床４６にほぼ垂直に配置される。更に別の実施形態では、帯７０、７２は省かれ、電気コンセント６６群とデータポート６８群は、直接または電気連結箱等の構造体を介して前記壁に装着される。あるいは、カバー板を１つ以上の電気コンセント６６とデータポート６８とに関連させてもよい。
【００１８】
電気コンセント６６は病院の電源に接続される。電気線は病室３８から離れた該電源から関連する電気コンセント６６へ配線される。該電気線は病室３８の天井、床または壁のうち１つ以上を通って配線されてもよい。電気コンセント６６は、収納空洞６２内の患者医療装置４２の搭載バッテリを充電するために電力を供給する。
【００１９】
データポート６８は病院内のネットワークに結合される。例えば、電気線は病室３８から離れた該ネットワークの中央サーバから関連するデータポート６８へ配線される。該電気線は病室３８の天井、床または壁のうち１つ以上を通って配線されてもよい。例えば、音声データ、映像データ、情報データのうち任意の１つ以上のデータが該データポートを介して中央サーバから患者医療装置４２に搭載されたコンピュータに、及びその逆に送信される。
【００２０】
また、各側壁５２、５４は複数のアクセサリ装着レール８０を有する。本実施形態では、アクセサリ装着レール８０は床４６にほぼ平行に配置される。別の実施形態では、アクセサリ装着レール８０は床４６にほぼ垂直に配置される。他の実施形態では、幾つかのアクセサリ装着レール８０は床４６にほぼ平行に配置され、別の幾つかのアクセサリ装着レール８０は床４６にほぼ垂直に配置される。アクセサリ装着レール８０は、図１に示すようなアクセサリバスケット８２等の１つ以上の患者医療アクセサリとアクセサリボトル（不図示）とを支持するよう構成されている。灯り８４が上部壁５６に結合されている。
【００２１】
幾つかの実施形態では、囲い５０は、前面と後面５８、６０の両方に１つ以上のドア（不図示）を有する。該ドアは開位置と閉位置の間を移動可能である。該ドアは、設計時の配慮に依って透明でも不透明でもよい。囲い５０の幅、高さ、奥行きは顧客仕様に依って決まる。本実施形態では、囲い５０はモジュール式壁２０の一部を形成し、幅は約２フィート（約０．６０メートル）、高さは約６フィート（約１．８０メートル）、奥行きは約４フィート（約１．２０メートル）である。
【００２２】
患者の集中または救命医療中は、該患者は通常、複数の生命支援システム、例えば、輸液ポンプ、人工呼吸器、酸素タンク、心拍モニター等に接続される。このような装置９０は通常、可動医療カート４４に搭載される。患者が病室３８にいる間、患者の移送の間、及び患者がストレッチャ等の支持体からＸ線台等の別の支持体に移動する間、可動医療カート４４は救命医療を患者に提供する。移送の間、可動医療カート４４は、救命医療装置９０にＤＣ電力を中断なく提供する。図７に概略的に示すように、再充電可能な搭載バッテリ９２は可動医療カート４４に装着される。可動医療カート４４は救命医療装置９０の動作を制御するためのコンピュータ９４を備えてもよい。該可動医療カートの例は、米国特許第５、１１７、５２１号、第５、３３５、６５１号、第５、３３７、８４５号、第５、９６６、７６０号、及び第６、７２５、４８３号に開示されている。これら特許を本明細書に援用する。コンピュータ９４は患者の生命に重要な信号データを表示するとともに救命医療装置９０の状態に関する情報を提供するための表示パネルを備えてもよい。
【００２３】
収納時、可動医療カート４４は下部の車輪９６により装置収納空洞６２に入る。可動医療カート４４が空洞６２に収容されているあいだ搭載バッテリ９２を充電するために、搭載バッテリ９２の端子９８は電気ケーブル１００を介して収納モジュール２４の電気コンセント６６に結合される。同様に、コンピュータ９４から病院内のネットワークにデータを、及びネットワークからデータを送信するために、コンピュータ９４のデータポート１０２は、電気線１０４を介して収納モジュール２４のデータポート６８に結合される。
【００２４】
スルー型装置収納モジュール２４、凹型装置収納モジュール２６、２８、及び開放棚装置収納モジュール３２はそれぞれ、電気コンセント６６、データポート６８、及びアクセサリ装着レール８０のうち少なくとも１つを備える。図３、図４に示すように、凹型装置収納モジュール２６は、一対の隔てられた側壁１２２、１２４と、上部壁１２６と、後部壁１２７と、病室３８に面する前面１２８と、廊下４０に面する後面１３０と、病室３８に開いた装置収納空洞１３２とを有する箱形囲い１２０を備える。患者医療装置４２は、不使用時、空洞１３２に収容される。患者医療装置４２を前面１２８から空洞１３２に出し入れできる。空洞１３２は床４６にも開いているので、患者医療装置４２は下部の車輪により空洞１３２に病室側前面１２８から容易に出入りできる。
【００２５】
側壁１２２、１２４と後部壁１２７のそれぞれは、複数のコネクタ６４、例えば電気コンセント６６、データポート６８を有する。他の実施形態では、電気コンセント６６とデータポート６８は、壁１２２、１２４、１２７のうち１つ以上から除かれている。本実施形態では、電気コンセント６６群とデータポート６８群はそれぞれ床４６にほぼ平行に延びるトラック又は帯７０、７２に沿って配列されている。また、側壁１２２、１２４と後部壁１２７のそれぞれは、複数のアクセサリ装着レール８０を有する。本実施形態では、幾つかのアクセサリ装着レール８０は床４６にほぼ平行に配置され、別の幾つかのアクセサリ装着レール８０は床４６にほぼ垂直に配置される。床４６に平行なアクセサリ装着レール８０は、人工呼吸器、輸液ポンプ、心拍モニター等のより小さく軽い患者医療装置４２を支持するための１つ以上の棚（不図示）を支持してもよい。
【００２６】
凹型装置収納モジュール２８は、図１のようにドア３０を有する以外は上記の凹型装置収納モジュール２６とほぼ同じである。ドア３０は開位置と閉位置の間を移動可能である。ドア３０はガラスウィンドウ３１を有する。幾つかの実施形態では、ドア３０はＬＣＤパネル（不図示）を備える。囲い１２０の幅、高さ、奥行きは顧客仕様に依って決まる。本実施形態では、囲い１２０はモジュール式壁２０の一部を形成し、幅は約２フィート（約０．６０メートル）、高さは約６フィート（約１．８０メートル）、奥行きは約４フィート（約１．２０メートル）である。
【００２７】
図５、図６に示すように、開放棚装置収納モジュール３２は、一対の隔てられた側壁１４２、１４４と、底壁１４５と、上部壁１４６と、後部壁１４７と、病室３８に面する前面１４８と、廊下４０に面する後面１５０と、病室３８に開いた装置収納空洞１５２とを有する箱形囲い１４０を備える。図６に示すように、開放棚装置収納モジュール３２は、収納モジュール３２の底壁１４５を床４６から離すように引き出しモジュール３６の上に支持される。患者医療装置４２は、不使用時、空洞１５２に収容される。患者医療装置４２を病室側前面１４８から空洞１５２に出し入れできる。モジュール３２内に置かれた装置４２は通常、モジュール２４、２６、２８内に置かれた装置より小さくて軽い。モジュール３２内に置かれた装置４２の例は、コンピュータ、ＩＶポンプ、患者生理状態モニター等を含む。
【００２８】
後部壁１４７は、複数のコネクタ６４、例えば電気コンセント６６、データポート６８を有する。本実施形態では、電気コンセント６６群とデータポート６８群はそれぞれ床４６にほぼ平行に延びるトラック又は帯７０、７２に沿って配列されている。また、後部壁１４７は、複数のアクセサリ装着レール８０を有する。本実施形態では、幾つかのアクセサリ装着レール８０は床４６にほぼ平行に配置され、別の幾つかのアクセサリ装着レール８０は床４６にほぼ垂直に配置される。幾つかの実施形態では、囲い１４０はドア（不図示）を有する。囲い１４０の幅、高さ、奥行きは顧客仕様に依って決まる。本実施形態では、囲い１４０はモジュール式壁２０の一部を形成し、幅は約２フィート（約０．６０メートル）、高さは約２フィート（約０．６０メートル）、奥行きは約４フィート（約１．２０メートル）である。
【００２９】
本実施形態では、装置収納モジュール２４、２６、２８、３２は病院又は医療施設においてモジュール式壁２０を形成する。図示のように、モジュール式壁２０は前述の国際特許出願Ｎｏ．PCT／US２００５／０１９０１２（attorney docket no. 7175-78000）に開示されたタイプである。図８に示すように、壁２０は複数の基礎構造部品２０２を備える。基礎構造部品２０２は複数の枠ユニット２０４と、複数の支持部材２０６とを含む。本実施形態では、支持部材２０６は枠ユニット２０４に取外し可能に結合されるよう構成されたハンガーである。
【００３０】
各枠ユニット２０４は一対の垂直部材２０８と、枠ユニット２０４の上部と底部の近くにおいて垂直部材２０８間を延びる一対の水平部材２１０とを備え、垂直部材２０８と水平部材２１０は、枠ユニット２０４の前面と後面の間に亘る開いた空間または空洞２１４を中央に有する概ね矩形の構造体を形成する。枠ユニット２０４の複数の垂直部材２０８の中心間の間隔は約２フィート（約０．６０メートル）である。複数の水平部材２１０の中心間の間隔は約８フィート（２．４０メートル）である。スルー型装置収納モジュール２４が存在する基礎構造部品２０２の位置では、床４６の近くの水平部材２１０は除かれる。図示のように、垂直部材２０８と水平部材２１０とは概ね矩形の断面を有する管状部材から作られている。
【００３１】
図示のように、各枠ユニット２０４の垂直部材２０８は、枠ユニット２０４の前方に面した第１の数の接続点２１２と、枠ユニット２０４の後方に面した第２の数の接続点２１２とを有する。本実施形態では、第１の数の接続点２１２は、枠ユニット２０４の前方に面しその奥行きに沿って延びる第１の数のハンガー受容穴２１２であり、第２の数の接続点２１２は、枠ユニット２０４の後方に面しその奥行きに沿って延びる第２の数のハンガー受容穴２１２である。ハンガー受容穴２１２はハンガー２０６を受容する寸法及び形を有する。挿入された時、ハンガー２０６は枠ユニット２０４のハンガー受容穴２１２に嵌合し、固く適正にロックされる。図示のように、ハンガー２０６とハンガー受容穴２１２とは横断面が概ね矩形である。ハンガー２０６は、枠ユニット２０４からカンチレバー状に概ね水平に延びる。下記に説明するように、ハンガー２０６の長さは、ハンガー２０６によって支持されるモジュール２２の奥行きに概ね一致する。
【００３２】
各枠ユニット２０４の幅又はＸ軸に沿った、垂直部材２０８のハンガー受容穴２１２同士の中心間の横方向間隔は固定である。図示のように、ハンガー受容穴２１２の中心間横方向間隔は約２フィート（約０．６０メートル）である。各枠ユニット２０４の高さ又はＺ軸に沿った、垂直部材２０８のハンガー受容穴２１２同士の中心間の垂直方向間隔も固定である。図示のように、高さに沿ったハンガー受容穴２１２の中心間間隔は約２フィート（約０．６０メートル）である。従って、本実施形態では、ハンガー受容穴２１２群は２フィート×２フィート（約０．６０メートル×約０．６０メートル）のグリッドを形成する。
【００３３】
例えば、装置収納モジュール２４、２６、２８、３２を含むモジュール２２群は、ハンガー受容穴２１２の該所定の横方向間隔（本実施形態では２フィート又は約０．６０メートル）の１倍を含む倍数にほぼ等しい幅を有する。また、モジュール２２群は、ハンガー受容穴２１２の該所定の垂直方向間隔（本実施形態では２フィート又は約０．６０メートル）の１倍を含む倍数にほぼ等しい高さを有する。第１の数のモジュール２２が、枠ユニット２０４の前側のハンガー２０６によって支持されてよい。第２の数のモジュール２２が、枠ユニット２０４の後側のハンガー２０６によって支持されてよい。各モジュール２２はモジュール２２の上端と下端の近くに対向して配置された一対のガイドトラック（不図示）を有する。該ガイドトラックは、枠ユニット２０４に取付けられたハンガー２０６をスライド方式で受容する。ラッチ（不図示）によりモジュール２２をハンガー２０６に取付けてもよい。
【００３４】
各枠ユニット２０４の下部水平部材２１０は、医療施設の床２２２に該枠ユニット２０４を取付けるための一対の垂直に延びる貫通孔２２０を有する。同様に、各枠ユニット２０４の上部水平部材２１０は、医療施設の床２２２から天井２２４に延びる該枠ユニット２０４を天井２２４に取付けるための一対の垂直に延びる貫通孔２２０を有する。スタッド、ピン、ねじ、又はナットとボルト等の任意の適当な留め具２２６を、枠ユニット２０４を床２２２と天井２２４とに取付けるために使用してもよい。図８において、モジュール２２を例えば、モップ、床清掃器具等から保護できるように、枠ユニット２０４は、床２２２の代わりにベース板２２８に取付けられ、ベース板２２８は床２２２に取付けられる。スルー型装置収納モジュール２４が存在する基礎構造部品２０２の位置では、床２２２の近くの下方水平枠部材２１０とベース板２２８は除かれる。
【００３５】
本実施形態では、各枠ユニット２０４は両側の隣接する枠ユニット２０４に結合される。また、医療施設の既存の通常の壁に最も近い枠ユニット２０４はその壁に取付けられる。このために、各枠ユニット２０４の垂直部材２０８は複数の横方向に延びる貫通孔２３２を有する。スタッド、ピン、ねじ、又はナットとボルト等の任意の適当な留め具２３４を、各枠ユニット２０４を両側の隣接する枠ユニット２０４及び隣接する既存の通常の壁に取付けるために使用してもよい。
【００３６】
ユーティリティ管２４２が医療施設の機械室から病室３８に配管されてもよい。ユーティリティ管２４２は通常、病室３８の床２２２、天井２２４又は壁２０を通って配管されてよい。水平部材２１０は垂直に延びる貫通スロット又は孔２４０を有し、これを通ってユーティリティ管２４２が枠部材２０８、２１０によって画成された開いた空間または空洞２１４に入る。次に、ユーティリティ管２４２は開いた空間２１４から関連するモジュール２２に配管される。例として、ユーティリティ管２４２はデータ線、ガス管、真空管、ＡＣ／ＤＣ電力線、温水管、冷水管、及び配管を含む。
【００３７】
また、ユーティリティ管２４２を枠ユニット２０４の開いた空間２１４から両側の隣接する枠ユニット２０４の開いた空間２１４へ配管するために、横方向に延びる貫通孔（不図示）を枠ユニット２０４の垂直部材２０８に形成してもよい。次に、ユーティリティ管２４２は該隣接する枠ユニット２０４の開いた空間２１４から関連するモジュール２２に配管される。枠ユニット２０４の開いた空間２１４に、音及び／又は熱に対する絶縁材を充填してもよい。従って、モジュール式壁２０は、垂直方向と横方向に互いに隔てられ所定の高さと幅を有する複数の壁空間から成るグリッドを形成するよう構成された複数の枠ユニット２０４を備え、装置収納モジュール２４、２６、２８、３２等の複数のモジュール２２は、関連する前記壁空間内に配置される。
【００３８】
本発明は様々な変更と別の形態が可能であるが、本明細書において特定の幾つかの実施形態を例として図に示し、詳細に説明した。しかし、本発明を開示した特定の形態に限定することを意図したものでなく、本発明は、添付の請求項により定義された本発明の精神と範囲内に入る全ての改良物、等価物、及び別の形態を含むことは理解されるべきである。
【００３９】
本明細書において説明した実施形態の様々な特徴から生じる本発明の複数の利点が存在する。説明した特徴の一部だけを含む本発明の他の実施形態は、前記複数の利点のうち少なくとも幾つかの利点を有する。当業者は、本発明の特徴のうち１つ以上を備える、添付の請求項により定義された本発明の精神と範囲内に入る実施形態を容易に思いつく可能性がある。
【図面の簡単な説明】
【００４０】
【図１】スルー型装置収納モジュール、ドアなし凹型装置収納モジュール、ドア付き凹型装置収納モジュール、及び開放棚装置収納モジュールを含む複数のモジュールを示すモジュール式壁の斜視図である。
【図２】スルー型装置収納モジュールの斜視図である。
【図３】ドアなし凹型装置収納モジュールの斜視図である。
【図４】図３の凹型装置収納モジュールの後部壁の前面立面図である。
【図５】開放棚装置収納モジュールの斜視図である。
【図６】図５の開放棚装置収納モジュールとキャビネットモジュールと複数の引き出しモジュールとを示す図１のモジュール式壁の一部の斜視図である。
【図７】可動医療カートに搭載された再充電可能なバッテリの端子に結合された電気コンセントと、可動医療カートに搭載されたコンピュータのデータポートに結合されたデータポートとを有するスルー型装置収納モジュールの装置収納空洞に収容された可動医療カートを示す概略上面図である。
【図８】複数の枠ユニットと、該枠ユニットのハンガー受容穴に受容された複数のハンガーと、該ハンガーによって取外し可能に支持された様々なモジュールとを示すモジュール式壁の斜視図である。
【符号の説明】
【００４１】
２０  モジュール式壁
２４、２６、２８、３２  装置収納モジュール
４２  患者医療装置
５０、１２０、１４０  囲い
６２、１３２、１５２  装置収納空洞
【図１】
2008501418.tif 000003
【図２】
2008501418.tif 000004
【図３】
2008501418.tif 000005
【図４】
2008501418.tif 000006
【図５】
2008501418.tif 000007
【図６】
2008501418.tif 000008
【図７】
2008501418.tif 000009
【図８】
2008501418.tif 000010
【国際調査報告】
2008501418.tif 000011
2008501418.tif 000012
2008501418.tif 000013